(57)【要約】本発明は、内容物が均一に循環し得るようにする攪拌装置に関し、特に、生ごみの発酵処理によって生ごみを焼却せずに分解して除去する生ごみの消滅化や、畜産廃棄物の発酵処理による堆肥化を非常に短時間内で行えるようにする有機廃棄物処理用攪拌装置を提供することを目的とする。前記目的を達成するために、本発明は、回転運動によって攪拌槽内の内容物を均一に混合する攪拌装置であって、一側が駆動部と連結される回転軸と、所定長さを有して、一端が前記回転軸の長さに沿って互いに異なる位置に固定される複数の連結部材と、下方に傾いて前記複数の連結部材の他端部に固定される複数の攪拌翼と、所定角度で湾曲している帯状をなし、一端部が前記回転軸又は連結部材に固定され、他端部が前記複数の攪拌翼の何れかの下端部付近に所定間隔を隔てて内側に配置されて、前記攪拌槽の中心部から外方へ押し出した内容物が、前記攪拌翼の回転運動によって形成される空間部に入り込むようにする補助攪拌翼とを含む攪拌装置を提供する。【選択図】
2010502430.tif 000002
【特許請求の範囲】
【請求項１】
回転運動によって攪拌槽内の内容物を均一に混合する攪拌装置であって、
一側が駆動部と連結される回転軸と、
所定長さを有して、一端が前記回転軸の長さに沿って互いに異なる位置に固定される複数の連結部材と、
下方に傾いて前記複数の連結部材の他端部に固定される複数の攪拌翼と、
所定角度で湾曲している帯状をなし、一端部が前記回転軸又は連結部材に固定され、他端部が前記複数の攪拌翼の何れかの下端部付近に所定間隔を隔てて内側に配置されて、前記攪拌槽の中心部から外方へ押し出した内容物が、前記攪拌翼の回転運動によって形成される空間部に入り込むようにする補助攪拌翼とを含む、攪拌装置。
【請求項２】
前記補助攪拌翼は、前記攪拌槽の最下側に位置する攪拌翼付近に位置することを特徴とする、請求項１に記載の攪拌装置。
【請求項３】
前記攪拌翼は、円弧状の板状部材であることを特徴とする、請求項１又は請求項２に記載の攪拌装置。
【請求項４】
前記補助攪拌翼は、前記攪拌翼と同数であることを特徴とする、請求項１又は請求項２に記載の攪拌装置。
【請求項５】
前記補助攪拌翼の他端部と攪拌翼との間隔は、前記攪拌翼がすくい上げる内容物の量に比例して調節されることを特徴とする、請求項１又は請求項２に記載の攪拌装置。
【請求項６】
前記連結部材は、断面が三角形であることを特徴とする、請求項１又は請求項２に記載の攪拌装置。
【請求項７】
前記攪拌装置は、生ごみ処理用であることを特徴とする、請求項１又は請求項２に記載の攪拌装置。
【発明の詳細な説明】
【技術分野】
【０００１】
本発明は、内容物が攪拌槽内部を均一に循環し得るようにする攪拌装置に関し、特に、生ごみの発酵処理によって生ごみを焼却せずに分解して除去する生ごみの消滅化や、畜産廃棄物の発酵処理による堆肥化を非常に短時間内で行えるようにする有機廃棄物処理用攪拌装置を提供することを目的とする。
【背景技術】
【０００２】
有機廃棄物、特に家庭や飲食店などで発生する生ごみは、埋め立てたり、別途の生ごみ処理装置を用いて堆肥として再利用する方法が考慮されている。生ごみを埋め立てる場合には、長期間の埋め立てによる環境公害を誘発するようになり、悪臭発生のため追加に悪臭防止施設などを設置しなければならないだけでなく、埋立地の選定が難しいという問題点がある。
【０００３】
また、生ごみを堆肥に活用する方法の場合、韓国で発生する生ごみには塩分が多く含まれていて、作物の発育に却って害となる場合が多く、土壌を汚染させるため、農家では生ごみで作られた堆肥を避けている。従って、生ごみの場合、埋め立てや堆肥化による処理よりは、生ごみ自体を完全に消滅させ得る方法が要求される。
【０００４】
また、家畜の糞尿のような畜産廃棄物の場合、堆肥化に適するので堆肥として活用するが、製造原価を下げるためには速い堆肥化が可能な処理法が要求される。
【０００５】
一方、生ごみや畜産廃棄物のような有機物を攪拌槽内で攪拌して発酵させる処理方法においては、有機物が攪拌槽内で均一に分散されて循環されるのが最も重要である。有機物が均一に循環されなければ、発酵促進のために投与される微生物がうまく活動し得ない環境が形成されることから、発酵速度が非常に遅くなるためである。
【０００６】
上述した従来の有機物処理方法の問題点を解決するために、本発明者は、生ごみを埋め立てたり焼却せず、短時間内で発酵させて消滅することができる装置として、図５に示したように、回転軸１２１と、該回転軸に連結された連結部材１２０と、該連結部材１２０の端部に固定され、かつ、円弧をなす３つの板状の攪拌翼１２３，１２４，１２５と、前記回転軸１２１に一端部が固定され、かつ、湾曲帯状の部材からなる補助攪拌翼１２２とで形成される攪拌装置を提示した。
【０００７】
前記攪拌装置は、補助攪拌翼１２２が中央部に位置する生ごみを攪拌槽の外郭部へ押し出し、下側に位置した攪拌翼１２５が前記押し出された生ごみを上層部にすくい上げることで、生ごみが攪拌槽の中央部から外郭部へ、外郭部から外郭上部へ、外郭上部では中央部に落ちて、攪拌槽内で生ごみが均一に循環するようになっている。
【０００８】
このような構成によって生ごみが均一に酸素と接触するようになり、生ごみの発酵を促進するための好気性微生物が活発に活動し得るようにして、生ごみの消滅化処理が可能になった。
【０００９】
しかし、前記攪拌装置では、図３に示したように、攪拌翼の回転によって上層部にすくい上げられた生ごみが、攪拌翼の回転時に下側に形成される空き空間に落下するため、すくい上げられた生ごみの相当量が元の所に戻ってくる現象が発生した。このため、攪拌槽下部に位置する生ごみがうまく上層部に移動し得なくなることで、生ごみの消滅速度が遅くなるという問題点があった。
【００１０】
また、生ごみが攪拌槽上側にうまく搬送されずに下側に山積してしまうので、最下側攪拌翼に無理な力がかかるという問題点もあった。
【発明の概要】
【発明が解決しようとする課題】
【００１１】
本発明は、上述した従来技術の問題点を解決するためになされたものであって、攪拌槽に投入された有機物が均一に循環でき、生ごみの発酵による消滅化処理及び畜産廃棄物の堆肥化処理を短時間内で行えるようにする有機廃棄物処理用攪拌装置を提供することを目的とする。
【課題を解決するための手段】
【００１２】
前記課題を解決するために、本発明は、回転運動によって攪拌槽内の内容物を均一に混合する攪拌装置であって、一側が駆動部と連結される回転軸と、所定長さを有して、一端が前記回転軸の長さに沿って互いに異なる位置に固定される複数の連結部材と、下方に傾いて前記複数の連結部材の他端部に固定される複数の攪拌翼と、所定角度で湾曲している帯状をなし、一端部が前記回転軸又は連結部材に固定され、他端部が前記複数の攪拌翼の何れかの下端部付近に所定間隔を隔てて内側に配置されて、前記攪拌槽の中心部から外方へ押し出した内容物が、前記攪拌翼の回転運動によって形成される空間部に入り込むようにする補助攪拌翼とを含む攪拌装置を提供する。
【００１３】
上述したように、従来の攪拌装置では、攪拌翼の回転によって形成される空き空間に、攪拌翼の回転時にすくい上げられた生ごみがそのまま落下するため、生ごみの循環がうまく行われなかった。
【００１４】
ところが、本発明による攪拌装置では、補助攪拌翼が所定角度で湾曲している帯状をなし、他端部（自由端）が攪拌翼の下端部付近に所定間隔を隔てて内側に配置されるため、図２に示したように、補助攪拌翼によって中心部から外方へ押し出された内容物の一部が攪拌翼の回転時に形成される空き空間を直ちに満たすようになる。
【００１５】
これにより、図４に示したように、攪拌翼によってすくい上げられた内容物は、下方に落下せずに上層部で保持できるようになる。従って、攪拌槽内の内容物が、中央下部→外郭下部→外郭上部→中央下部へうまく循環され、これにより、微生物が酸素とうまく接触して発酵速度が促進し、非常に短時間内で生ごみを消滅させることができ、また畜産廃棄物の堆肥化が可能となる。
【００１６】
また、前記補助攪拌翼を１つ配置する場合は、補助攪拌翼を前記攪拌槽の最下側に位置する攪拌翼付近に位置させ、補助攪拌翼と攪拌翼を同数にすることもできる。
【００１７】
前記攪拌翼は、多様な形状が可能であり、好ましくは円弧状の板状部材を用いる。
【００１８】
前記補助攪拌翼の他端部と攪拌翼との間隔は、前記攪拌翼がすくい上げる内容物の量に比例して調節される。即ち、攪拌翼の幅が広くて広い空間が発生する場合には間隔を広く維持し、攪拌翼の幅が狭くて狭い空間が発生する場合には間隔を狭く維持する。好ましくは攪拌翼の幅と同一又は類似する程度の間隔を維持する。
【００１９】
本発明による攪拌装置は、多様な用途に適用することができ、特に、生ごみを発酵させて除去する生ごみ処理装置又は畜産廃棄物の堆肥化処理装置に適する。
【発明の効果】
【００２０】
上述したように、本発明は、攪拌翼と補助攪拌翼の位置及びその形状を適宜配置することで、攪拌槽内に投入される有機物を均一に循環させることができ、これにより、微生物の活動力を極大化することができて、短時間内で生ごみの発酵化除去処理又は畜産廃棄物の堆肥化処理が可能となる。
【００２１】
本発明による攪拌装置は、生ごみを短時間内で気化して消滅させることができるため、家庭、飲食店、大型食堂などのような場所で生ごみを画期的に減らすことができる装置として使うことができる。
【図面の簡単な説明】
【００２２】
【図１】本発明の一実施例による攪拌装置の斜視図である。
【図２】本発明の一実施例による攪拌装置において、攪拌時の内容物の動きを示す概路図である。
【図３】従来技術と本発明による攪拌翼の回転時の生ごみの動きを説明する説明図である。
【図４】従来技術と本発明による攪拌翼の回転時の生ごみの動きを説明する説明図である。
【図５】従来の攪拌装置を示す図である。
【発明を実施するための形態】
【００２３】
以下、本発明の実施例に基づいて本発明をより詳しく説明する。しかし、下記実施例は単に例示的であって、本発明の技術思想内で多様に変形することができ、本発明を限定するものではない。
【００２４】
図１は、本発明の一実施例による攪拌装置の斜視図であり、図２は、本発明の一実施例による攪拌装置において、攪拌時の内容物の動きを示す概略図である。
【００２５】
図示のように、本発明による攪拌装置は、生ごみ処理用であって、回転軸５０と、連結部材６０，６１，６２と、攪拌翼７０，７１，７２と、補助攪拌翼８０とで形成されている。
【００２６】
前記回転軸５０は、長手方向に延長するステンレス鋼の棒状部材であって、その下端部には、駆動モータの軸と結合し得るように軸受用溝５１が形成されている。
【００２７】
前記連結部材６０，６１，６２は、断面がほぼ三角形の棒状で３つ形成されており、その一端部は、前記回転軸５０の長手方向に沿って三等分して、第１の連結部材６０が上側に、第２の連結部材６１が中間に、第３の連結部材６２が下側に位置すると共に、これら相互間に１２０゜間隔をなすように回転軸５０に固定されて、回転軸５０の回転運動に連動して回転するようになっている。このように形成された連結部材６０，６１，６２によって、攪拌槽内に投入される生ごみが幅方向に均一に分配され、前記連結部材６０，６１，６２の角部分が回転方向に向かうように配置すれば、カッターのように機能して生ごみの粉砕がより容易になり、回転運動時にも抵抗を低減させることができる。
【００２８】
前記攪拌翼７０，７１，７２は、板状のステンレス鋼からなり、第１の攪拌翼７０、第２の攪拌翼７１及び第３の攪拌翼７２は、各々その中間部の対応する前記第１、第２、第３の連結部材６０，６１，６２に固定され、回転軸の中心に対して所定の角度範囲に当たる円弧状をなす。また、前記攪拌翼７０，７１，７２は、上下方向に所定角度に傾いて形成されているため、回転時に攪拌槽内の内容物を下方から上方にすくい上げることができる構造になっている。
【００２９】
図２に示したように、前記補助攪拌翼８０は、回転方向に膨らんで所定角度で湾曲している帯状からなり、回転方向からみると、一端部８２は、前記第３の連結部材６２よりも前記回転軸５０外周部の先方に固定され、他端部（自由端部）８３は、第３の攪拌翼７２の下端部７３付近に所定間隔を隔てて位置される。また、補助攪拌翼８０の下端部８１は、攪拌槽の底部に当接しそうに固定されて、回転軸５０の回転時に、攪拌槽中心部の生ごみを第３の攪拌翼７２の回転時に形成される下側の空き空間に押し込むように形成されている。
【００３０】
次に、上述した構成を有する本発明による攪拌装置の作用を説明する。
【００３１】
まず、攪拌槽に生ごみと微生物発酵材が含有されている大鋸屑を所定量投入する。投入される生ごみは、前記第１、第２、第３の連結部材６０，６１，６２によって均一に分散されつつ下側に落ちるようになる。
【００３２】
次いで、回転軸５０を回転させれば、前記第１、第２、第３の攪拌翼７０，７１，７２は、上下に傾いて形成されているため、生ごみを下側から上側にすくい上げるように押し上げる。
【００３３】
このとき、攪拌槽の底部近くに下端部が回転方向に傾いている第３の攪拌翼７２は、回転によって攪拌槽下部にある生ごみをその翼の高さだけ上側にすくい上げるように押し上げ、その生ごみは、同一角度で形成され、かつ第３の攪拌翼７２の上端部とほぼ同一又は少し上側に位置した第２の攪拌翼７１の下端部に搬送され、同様に、第２の攪拌翼７１は、これを更に押し上げて、第２の攪拌翼７１の上端部よりも少し上側に位置する第１の攪拌翼７０の下端部に搬送し、第１の攪拌翼７０の上端部を過ぎた生ごみは、攪拌槽の中心部に落下するようになる。
【００３４】
一方、回転軸５０の下部に固定されている補助攪拌翼８０は、回転方向に膨らんで湾曲しており、補助攪拌翼の自由端８３は、第３の攪拌翼７２の下端部７３付近にほぼ第３の攪拌翼７２の幅だけの間隔を隔てて配置されている。従って、回転軸５０が回転すれば、中心部に位置した生ごみは、補助攪拌翼８０に沿って図２の矢印方向に移動して、第３の攪拌翼７２の回転時に形成される下部の空き空間７４に押し込まれるようになる。
【００３５】
これにより、図４に示したように、第３の攪拌翼７２が回転してもその下部の空き空間が連続して満たされるため、第３の攪拌翼７２によってすくい上げられた生ごみがまた下部に落ちる問題点を解決することができ、上下方向の生ごみの循環がうまく行われ得る。
【００３６】
本発明の実施例による攪拌装置を採用した生ごみ処理装置によって、攪拌槽に最大容量に投入された生ごみの９５％以上を２４時間以内で消滅させることができた。
【符号の説明】
【００３７】
５０  回転軸
５１  軸受用溝
６０、６１、６２  第１、第２、第３の連結部材
７０、７１、７２  第１、第２、第３の攪拌翼
７３  第３の攪拌翼下端部
７４  空き空間部
８０  補助攪拌翼
８１  補助攪拌翼下端部
８２  補助攪拌翼一端部
８３  補助攪拌翼他端部（自由端）
【図１】
2010502430.tif 000003
【図２】
2010502430.tif 000004
【図３】
2010502430.tif 000005
【図４】
2010502430.tif 000006
【図５】
2010502430.tif 000007
【国際調査報告】
2010502430.tif 000008
2010502430.tif 000009